(57)【要約】【課題】ベゼル裏面の開口孔の上部に突設された案内板の両縁をリテーナの空調吹出口の上部両縁に形成された１対のガイド体の内部に確実に挿入させ、ベゼルに形成の係止片がリテーナに形成の係止爪と係合することで組み付けが完了するベゼルの組み付け構造を提供することである。【解決手段】ベゼル２０裏面の開口孔２１の上部に突設された案内板２２の両縁をリテーナ１０の空調吹出口１１の上部両縁に形成された１対のガイド体１２の内部１２ａに挿入させていき、ベゼル２０に形成の係止片２３がリテーナ１０に形成の係止爪１３と係合することで組み付けが完了するベゼル２０の組み付け構造であって、前記１対のガイド体１２における前記案内板２２が挿入される側の両端部には、案内板２２の挿入方向に向けて下り傾斜するガイド部１６がそれぞれ設けられている。【選択図】図１
2008110646.tif 000002
【特許請求の範囲】
【請求項１】
リテーナの空調吹出口とベゼルの開口孔が一致するよう該リテーナに該ベゼルを組み付けるとき、該ベゼル裏面の開口孔の上部に突設された案内板の両縁を該リテーナの空調吹出口の上部両縁に形成された１対のガイド体の内部に挿入させていき、該ベゼルに形成の係止片が該リテーナに形成の係止爪と係合することで組み付けが完了するベゼルの組み付け構造であって、
前記１対のガイド体における前記案内板が挿入される側の両端部には、該案内板の挿入方向に向けて下り傾斜するガイド部がそれぞれ設けられているベゼルの組み付け構造。
【発明の詳細な説明】
【技術分野】
【０００１】
本発明は、ベゼルの組み付け構造に関し、詳しくは、ベゼルに形成の係止片がリテーナに形成の係止爪と係合することで組み付けが完了するベゼルの組み付け構造に関する。
【背景技術】
【０００２】
この種のベゼルの組み付け構造として、例えば、図４〜６に示す、リテーナ１０にベゼル２０を組み付ける技術が既に知られている。この技術では、まず、図４、５に示す状態から、ベゼル２０の裏面において開口孔２１の上方位置に後方に向けて突設された案内板２２の両縁をリテーナ１０の空調吹出口１１の上部両縁にそれぞれ形成された１対のガイド体１２の内部１２ａに挿入させていく（図６（Ａ）参照）。そして、この挿入が完了すると（図６（Ｂ）参照）、図４、５に示すベゼル２０に形成の係止片２３がリテーナ１０に形成の係止爪１３と係合することでベゼル２０の組み付けが完了している。また、これらリテーナ１０の空調吹出口１１には、複数枚の縦フィン１４と横フィン１５がそれぞれ設けられている。これにより、空調吹出口１１から吹き出される空調エアを所望する方向へ吹き出させることができる。なお、図４からも明らかなように、１つのリテーナ１０に対して、ベゼル２０の係止片２３は４つ設けられており、そのうち２つの係止片２３は、案内板２２の先端から延設されており、残りの２つの係止片２３は、開口孔２１の下縁から突設されている。また、これら４つの係止片２３と対応するように、各リテーナ１０の上下面１０ａ、１０ｂには、２つずつの係止爪１３が設けられている。このように、４つの係止片２３によって、リテーナ１０の上下面１０ａ、１０ｂは挟み込まれる格好で、ベゼル２０はリテーナ１０に組み付けられている。なお、この例では、ベゼル２０に２つの開口孔２１が並設されており、これら両開口孔２１にそれぞれリテーナ１０が組み付けられている。
【０００３】
この出願の発明に関連する先行技術文献情報としては、例えば、特許文献１が知られている。
【特許文献１】特開平９−１０１０５８号公報
【発明の開示】
【発明が解決しようとする課題】
【０００４】
上述したベゼルの組み付け構造では、少なくとも、案内板２２の先端がガイド体１２の内部１２ａに挿入されるまでは、案内板２２をガイド体１２に対して略平行となるように保たせた状態で挿入していかなければ、案内板２２をガイド体１２の内部１２ａに挿入することは困難であった（図６（Ａ）参照）。そのため、例えば、図７（Ａ）に示すように、ガイド体１２に対して傾いた状態で案内板２２を挿入していくと、案内板２２はガイド体１２の内部１２ａに挿入されることなく内部１２ａから外れた状態（図７（Ｂ）参照）でベゼル２０の組み付けが完了してしまうことになっていた。この外れた状態で組み付けが完了してしまうと、係止片２３と係止爪１３との係合不良が生じることになり、製品として出荷した後に、組み付けたベゼル２０がリテーナ１０から脱落してしまうという問題が発生していた。もちろん、この問題を解決するため、案内板２２をガイド体１２の内部１２ａに挿入するとき、その挿入部位を目視することで案内板２２をガイド体１２の内部１２ａに確実に挿入させることが考えられた。しかしながら、案内板２２の挿入部位はベゼル２０の意匠面２４によって覆われた格好となっているため、その挿入部位を目視することは困難であり、新たな解決方法が求められていた。
【０００５】
本発明は、このような課題を解決しようとするもので、その目的は、リテーナにベゼルを組み付けるとき、ベゼル裏面の開口孔の上部に突設された案内板の両縁をリテーナの空調吹出口の上部両縁に形成された１対のガイド体の内部に挿入させていき、ベゼルに形成の係止片がリテーナに形成の係止爪と係合することで組み付けが完了するベゼルの組み付け構造であって、その挿入部位を目視することができない場合であっても、案内板をガイド体の内部に確実に挿入させてベゼルをリテーナに組み付けることができる組み付け構造を提供することである。
【課題を解決するための手段】
【０００６】
本発明は、上記の目的を達成するためのものであって、以下のように構成されている。
請求項１に記載の発明は、リテーナの空調吹出口とベゼルの開口孔が一致するよう該リテーナに該ベゼルを組み付けるとき、該ベゼル裏面の開口孔の上部に突設された案内板の両縁を該リテーナの空調吹出口の上部両縁に形成された１対のガイド体の内部に挿入させていき、該ベゼルに形成の係止片が該リテーナに形成の係止爪と係合することで組み付けが完了するベゼルの組み付け構造であって、前記１対のガイド体における前記案内板が挿入される側の両端部には、該案内板の挿入方向に向けて下り傾斜するガイド部がそれぞれ設けられた構成である。
この構成によれば、案内板の挿入部位を目視することができない場合であっても、案内板をガイド体の内部に確実に挿入させることができる。これにより、係止片と係止爪との係合不良が生じることなく、製品として出荷した後に、組み付けたベゼルがリテーナから脱落してしまうことはない。
【発明を実施するための最良の形態】
【０００７】
本発明を実施するための最良の形態を、図１〜３を用いて説明する。
図１は、本発明のベゼルの組み付け構造を適用させた分解斜視図であり、ベゼル２０の意匠面２４の一部を切り欠いた状態を表している。図２は、図１の組み付け主要部を説明する図である。図３は、図２の組み付け工程を示すＡ−Ａ断面図であり、（Ａ）は、組み付け中、（Ｂ）は、組み付け後を示している。
【０００８】
図面で明らかなように、この実施例は、従来技術と比較して、案内板２２をガイド体１２の内部に確実に挿入させる構成を追加したものである。そのため、この追加構成以外の構成は、従来技術と同一な構成である。したがって、以下の実施例を説明するにあたって、従来技術で説明した部材と同一な構成の部材には、図面において同一符号を付すことで重複する説明は省略する。
【０００９】
図１〜３に示すように、リテーナ１０に形成された１対のガイド体１２における案内板２２が挿入される側の両端部には、案内板２２の挿入方向（図１、２において、矢印方向）に向けて下り傾斜する傾斜面１６ａを有するガイド部１６がそれぞれ設けられている。このガイド部１６の高さ「ｔ」は、例えば、３ｍｍ程度である。
【００１０】
このようにガイド部１６が設けられていると、例えば、図３（Ａ）に示すように、ガイド体１２に対して傾いた状態で案内板２２を挿入していった場合（実線の案内板２２の場合）でも、すなわち、従来技術で説明した、図７（Ａ）の場合でも、図３（Ａ）の一部拡大図に示すように、案内板２２の先端は傾斜面１６ａに押し当てられることで、ガイド体１２の内部１２ａへと導かれる格好となる。
【００１１】
すなわち、従来技術で説明した、図６（Ａ）の場合と同じになる。このように、案内板２２の挿入部位を目視することができない場合であっても、案内板２２をガイド体１２の内部１２ａに確実に挿入させることができる（図３（Ｂ）参照）。なお、この図３（Ａ）における想像線は参考となる線であり、案内板２２がガイド体１２に対して傾いていない図６（Ａ）の状態を表している。
【００１２】
上述した内容は、あくまでも本発明の一実施の形態に関するものであって、本発明が上記内容に限定されることを意味するものではない。
また、実施例で説明したガイド部１６の高さ「ｔ」は、案内板２２の厚みに応じて適宜決定される設計的時効である。
【図面の簡単な説明】
【００１３】
【図１】図１は、本発明のベゼルの組み付け構造を適用させた分解斜視図であり、ベゼル２０の意匠面２４の一部を切り欠いた状態を表している。
【図２】図２は、図１の組み付け主要部を説明する図である。
【図３】図３は、図２の組み付け工程を示すＡ−Ａ断面図であり、（Ａ）は、組み付け中、（Ｂ）は、組み付け後を示している。
【図４】図４は、従来技術のベゼルの組み付け構造を適用させた分解斜視図であり、ベゼル２０の意匠面２４の一部を切り欠いた状態を表している。
【図５】図５は、図４の組み付け主要部を説明する図である。
【図６】図６は、図５の組み付け工程を示すＢ−Ｂ断面図であり、（Ａ）は、組み付け中、（Ｂ）は、組み付け後を示している。
【図７】図７は、図６の問題点を説明する図であり、（Ａ）は、組み付け中、（Ｂ）は、組み付け後を示している。
【符号の説明】
【００１４】
１０    リテーナ
１１    空気吹出口
１２    ガイド体
１２ａ  内部
１３    係止爪
１６    ガイド部
２０    ベゼル
２１    開口孔
２２    案内板
２３    係止片
【図１】
2008110646.tif 000003
【図２】
2008110646.tif 000004
【図３】
2008110646.tif 000005
【図４】
2008110646.tif 000006
【図５】
2008110646.tif 000007
【図６】
2008110646.tif 000008
【図７】
2008110646.tif 000009